(57)【特許請求の範囲】
【請求項１】
透視可能な透明フィルムからなり、表面及び裏面にはそれぞれ、互いに重ね合わされることにより所定の情報を表現するための情報が、互いに対向する領域に印刷されている透明フィルム封筒において、
表面に印刷された情報と裏面に印刷された情報のうち一方の情報は、所定の規則で並べられた文字情報であって、
表面に印刷された情報と裏面に印刷された情報のうち他方の情報は、前記文字情報のうち前記所定の情報を表現するために不必要となる文字情報に対向する部分のみが透視不可能に着色されて構成された着色情報であることを特徴とする透明フィルム封筒。
【発明の詳細な説明】
【０００１】
【発明の属する技術分野】
本発明は、透視可能な透明フィルムからなる透明フィルム封筒に関する。
【０００２】
【従来の技術】
従来より、ダイレクトメール等といった郵送等によって送付される送付物においては、差出人が受取人に通知したい情報が文字や画像として所定の用紙に印字されており、そのほとんどが、封筒等に封入、封緘され、封入体として受取人に送付されている。
【０００３】
このような封入体は、受取人が封筒を開封して封筒等に封入された送付物を閲覧することによって、差出人が通知したい情報が受取人に通知されることになる。
【０００４】
また、近年においては、送付物を封入、封緘する封筒としてフィルムを用い、このフィルムから作成された封筒に封入物が封入、封緘された封入体が流通している。このフィルムから作成された封筒においては、紙から作成された封筒と比べて、耐水性に優れ、また、透明のフィルムを用いれば、封入されている封入物を視認可能に構成することもでき、さらに、フィルムの色によっては、外観上も優れたものとすることができる。
【０００５】
【発明が解決しようとする課題】
しかしながら、上述したように送付物が封筒に封入された従来の封入体においては、受取人が封筒を開封して封筒等に封入された送付物を閲覧することによって、差出人が通知したい情報が受取人に通知されるため、受取人が封筒を開封せずに捨ててしまった場合等、受取人が封筒を開封しない状態においては、差出人が通知したい情報を受取人に通知することができず、また、その場合、封入体の作成にかかる手間及びコスト、並びにこの封入体を郵送した場合は郵送にかかるコストが無駄になってしまうという問題点がある。
【０００６】
また、上述したように透明フィルムからなる封筒を用いた場合においても、差出人が通知したい情報のうち外部から視認可能となる領域に印字された情報については、封筒を開封しない状態であっても受取人に通知することができるものの、外部から視認可能ではない領域に印字された情報については、封筒を開封しなければ受取人に通知することができず、上記同様の問題点が生じてしまう。
【０００７】
本発明は、上述したような従来の技術が有する問題点に鑑みてなされたものであって、透明フィルムからなり、封入物が封入される透明フィルム封筒において、開封率を高めることができる透明フィルム封筒を提供することを目的とする。
【０００８】
【課題を解決するための手段】
上記目的を達成するために本発明は、
透視可能な透明フィルムからなり、表面及び裏面にはそれぞれ、互いに重ね合わされることにより所定の情報を表現するための情報が、互いに対向する領域に印刷されている透明フィルム封筒において、
表面に印刷された情報と裏面に印刷された情報のうち一方の情報は、所定の規則で並べられた文字情報であって、
表面に印刷された情報と裏面に印刷された情報のうち他方の情報は、前記文字情報のうち前記所定の情報を表現するために不必要となる文字情報に対向する部分のみが透視不可能に着色されて構成された着色情報であることを特徴とする。
【００１１】
（作用）
上記のように構成された本発明においては、透視可能な透明フィルムからなる透明フィルム封筒において、その表面及び裏面にそれぞれ、互いに重ね合わされることにより所定の情報を表現するための情報が、互いに対向する領域に印刷されているが、この透明フィルム封筒内に封入物が封入されている状態においては、この封入物によって、透明フィルム封筒の表面側から透明フィルム封筒の裏面が視認不可能となっているとともに、透明フィルム封筒の裏面側から透明フィルム封筒の表面が視認不可能となっているため、所定の情報は提供されない。一方、透明フィルム封筒から封入物を取り出すと、透明フィルム封筒の表面側から透明フィルム封筒の裏面が視認可能となるとともに、透明フィルム封筒の裏面側から透明フィルム封筒の表面が視認可能となり、それにより、透明フィルム封筒の表面に印刷された情報と透明フィルム封筒の裏面に印刷された情報とが重ね合わされ、透明フィルム封筒の表面に印刷された情報と透明フィルム封筒の裏面に印刷された情報とによって所定の情報が表現されることになる。
【００１２】
【発明の実施の形態】
以下に、本発明の実施の形態について図面を参照して説明する。
【００１３】
（第１の実施の形態）
図１は、本発明の透明フィルム封筒の第１の実施の形態を示す図であり、（ａ）は表面の構成を示す図、（ｂ）は裏面の構成を示す図である。
【００１４】
図１に示すように、本形態における透明フィルム封筒の表面には、封筒の宛先を示す宛先情報１２が印刷されているとともに、マトリックス状に形成された複数のます目を有し、このます目のうち所定のます目に所定の文字が印字されて構成された暗号情報１１が印刷されており、また、その裏面には、暗号情報１１に対向する領域に、暗号情報１１と同一のます目を有し、そのます目のうち所定のます目に所定の文字が印字されて構成された暗号情報２１が印刷されている。
【００１５】
ここで、透明フィルム封筒の表面に印刷された暗号情報１１と透明フィルム封筒の裏面に印刷された暗号情報２１との関係について詳細に説明する。
【００１６】
透明フィルム封筒の表面に印刷された暗号情報１１は、裏面から読取可能な向きに所定の文字が所定のます目に印刷されて構成されており、それだけでは所定の情報を構成していない。
【００１７】
また、透明フィルム封筒の裏面に印刷された暗号情報２１は、裏面から読取可能な向きに所定の文字が所定のます目に印刷されて構成されており、それだけでは所定の情報を構成していない。この暗号情報２１に含まれる文字は、暗号情報２１を構成する複数のます目のうち、透明フィルム封筒の表面に印刷された暗号情報１１のます目において文字が印刷されていないます目に対向するます目にのみ印刷されている。これにより、透明フィルム封筒の表面と裏面とを重ね合わせた場合、暗号情報１１，２１を構成するます目の全てに文字が印刷されているように見えることになる。また、暗号情報１１に含まれる文字と暗号情報２１に含まれる文字とは、透明フィルム封筒の表面と裏面とを重ね合わせた場合に、暗号情報１１，２１を構成する全てのます目に渡って所定の情報が構成されるような文字情報であって、それにより、透明フィルム封筒の裏面から見た場合に所定の情報が提供されることになる。
【００１８】
以下に、上記のように構成された透明フィルム封筒を用いて情報が提供される場合の状態について説明する。
【００１９】
図２は、図１に示した透明フィルム封筒を用いて情報が提供される状態を示す図である。
【００２０】
図１に示したように本形態における透明フィルム封筒には、その表面及び裏面に、互いに重ね合わされることにより所定の情報を構成する暗号情報１１，２１が印刷されているが、透明フィルム封筒内に封入物が封入されている状態においては、その封入物によって、透明フィルム封筒の表面側からは透明フィルム封筒の裏面が視認不可能であり、また、透明フィルム封筒の裏面側からは透明フィルム封筒の表面が視認不可能であるため、所定の情報は提供されない。
【００２１】
透明フィルム封筒を開封し、透明フィルム封筒から封入物と取り出すと、図２に示すように、透明フィルム封筒の裏面側から透明フィルム封筒の表面が視認可能となる。
【００２２】
ここで、透明フィルム封筒の表面に印刷された暗号情報１１に含まれる文字と透明フィルム封筒の裏面に印刷された暗号情報２１に含まれる文字とは、上述したように、透明フィルム封筒の表面と裏面とを重ね合わせた場合に、暗号情報１１，２１を構成する全てのます目に渡って所定の情報が構成されるような文字情報であるため、透明フィルム封筒の裏面から見た場合に、暗号情報１１に含まれる文字と暗号情報２１に含まれる文字とによって構成される所定の情報が提供されることになる。
【００２３】
（第２の実施の形態）
図３は、本発明の透明フィルム封筒の第２の実施の形態を示す図であり、（ａ）は表面の構成を示す図、（ｂ）は裏面の構成を示す図である。
【００２４】
図３に示すように、本形態における透明フィルム封筒の表面には、封筒の宛先を示す宛先情報１１２が印刷されているとともに、マトリックス状に形成された複数のます目を有し、このます目の全てにそれぞれ所定の文字が印字されて構成された暗号情報１１１が印刷されており、また、その裏面には、暗号情報１１１に対向する領域に、暗号情報１１１と同一のます目を有し、そのます目のうち所定のます目が透視不可能となるように着色されて構成された暗号情報１２１が印刷されている。
【００２５】
ここで、透明フィルム封筒の表面に印刷された暗号情報１１１と透明フィルム封筒の裏面に印刷された暗号情報１２１との関係について詳細に説明する。
【００２６】
透明フィルム封筒の表面に印刷された暗号情報１１１は、裏面から読取可能な向きに所定の文字が複数のます目のそれぞれに印刷されて構成されており、それだけでは所定の情報を構成していない。
【００２７】
また、透明フィルム封筒の裏面に印刷された暗号情報１２１は、暗号情報１２１を構成する複数のます目のうち、透明フィルム封筒の表面に印刷された暗号情報１１１のます目において所定の情報を構成するために不必要となる文字が印刷されているます目に対向するます目のみが透視不可能となるように着色されて構成されている。これにより、透明フィルム封筒の表面と裏面とを重ね合わせて裏面側から見た場合、暗号情報１１１を構成する複数のます目に印刷された文字のうち、暗号情報１２１を構成するます目の着色されていないます目に対向するます目に印刷された情報のみが裏面の透明フィルムを介して視認可能となり、その文字によって構成される所定の情報が提供されることになる。
【００２８】
以下に、上記のように構成された透明フィルム封筒を用いて情報が提供される場合の状態について説明する。
【００２９】
図４は、図３に示した透明フィルム封筒を用いて情報が提供される状態を示す図である。
【００３０】
図３に示したように本形態における透明フィルム封筒には、その表面及び裏面に、互いに重ね合わされることにより所定の情報を表現するための暗号情報１１１，１２１が印刷されているが、透明フィルム封筒内に封入物が封入されている状態においては、その封入物によって、透明フィルム封筒の表面側からは透明フィルム封筒の裏面が視認不可能であり、また、透明フィルム封筒の裏面側からは透明フィルム封筒の表面が視認不可能であるため、所定の情報は提供されない。
【００３１】
透明フィルム封筒を開封し、透明フィルム封筒から封入物と取り出すと、図４に示すように、透明フィルム封筒の裏面側から透明フィルム封筒の表面が視認可能となる。
【００３２】
ここで、透明フィルム封筒の裏面に印刷された暗号情報１２１は、上述したように、暗号情報１２１を構成する複数のます目のうち、透明フィルム封筒の表面に印刷された暗号情報１１１を構成する複数のます目に印刷された文字の中で所定の情報を構成するために不必要となる文字が印刷されたます目に対向するます目が透視不可能に着色されて構成されているため、透明フィルム封筒の裏面から見た場合、暗号情報１１１に含まれる文字のうち、所定の情報を構成するために必要となる文字のみが透明フィルム封筒の裏面を介して視認可能となり、それにより、所定の情報が提供されることになる。
【００３３】
（第３の実施の形態）
図５は、本発明の透明フィルム封筒の第３の実施の形態を示す図であり、（ａ）は表面の構成を示す図、（ｂ）は裏面の構成を示す図である。
【００３４】
図５に示すように、本形態における透明フィルム封筒の表面には、封筒の宛先を示す宛先情報２１２が印刷されているとともに、所定の文字を構成するための暗号情報２１１が印刷されており、また、その裏面には、暗号情報２１１に対向する領域に、暗号情報２１１と重ね合わされることにより所定の文字を構成するための暗号情報２２１が印刷されている。
【００３５】
ここで、透明フィルム封筒の表面に印刷された暗号情報２１１と透明フィルム封筒の裏面に印刷された暗号情報２２１との関係について詳細に説明する。
【００３６】
透明フィルム封筒の表面に印刷された暗号情報２１１は、裏面から読取可能な向きに印刷されて構成されており、それだけでは所定の情報を構成していない。
【００３７】
また、透明フィルム封筒の裏面に印刷された暗号情報２２１は、裏面から読取可能な向きに印刷されて構成されており、それだけでは所定の情報を構成していない。この暗号情報２２１に含まれる文字は、透明フィルム封筒の表面に印刷された暗号情報２１１に重ね合わされた場合に所定の情報を構成することができる情報である。
【００３８】
以下に、上記のように構成された透明フィルム封筒を用いて情報が提供される場合の状態について説明する。
【００３９】
図６は、図５に示した透明フィルム封筒を用いて情報が提供される状態を示す図である。
【００４０】
図５に示したように本形態における透明フィルム封筒には、その表面及び裏面に、互いに重ね合わされることにより所定の情報を構成する暗号情報２１１，２２１が印刷されているが、透明フィルム封筒内に封入物が封入されている状態においては、その封入物によって、透明フィルム封筒の表面側からは透明フィルム封筒の裏面が視認不可能であり、また、透明フィルム封筒の裏面側からは透明フィルム封筒の表面が視認不可能であるため、所定の情報は提供されない。
【００４１】
透明フィルム封筒を開封し、透明フィルム封筒から封入物と取り出すと、図６に示すように、透明フィルム封筒の裏面側から透明フィルム封筒の表面が視認可能となる。
【００４２】
ここで、透明フィルム封筒の表面に印刷された暗号情報２１１と透明フィルム封筒の裏面に印刷された暗号情報２２１とは、上述したように、透明フィルム封筒の表面と裏面とを重ね合わせた場合に、所定の情報を構成する情報であるため、透明フィルム封筒の裏面から見た場合に、暗号情報２１１と暗号情報２２１とによって構成される所定の情報が提供されることになる。
【００４３】
なお、本形態においては、暗号情報として２１１，２２１として表現される情報として文字情報を例に挙げて説明したが、本発明はこれに限定されるものではなく、例えば、透明フィルム封筒の表面に図形Ａを印刷し、透明フィルム封筒の裏面に図形Ｂを印刷し、図形Ａと図形Ｂとを重ね合わせることにより図形Ｃを表現することや、透明フィルム封筒の表面に色Ａを印刷し、透明フィルム封筒の裏面に色Ｂを印刷し、色Ａと色Ｂとを重ね合わせることにより色Ｃを表現することも考えられる。
【００４４】
また、上述した実施の形態において提供された所定の情報を用いて、所定の応募等を行うことも考えられる。
【００４５】
【発明の効果】
以上説明したように本発明においては、透視可能な透明フィルムからなる透明フィルム封筒において、その表面及び裏面にそれぞれ、互いに重ね合わされることにより所定の情報を表現するための情報が、互いに対向する領域に印刷されているため、この透明フィルム封筒内に封入物が封入されている状態においては、この封入物によって、透明フィルム封筒の表面側から透明フィルム封筒の裏面が視認不可能であるとともに、透明フィルム封筒の裏面側から透明フィルム封筒の表面が視認不可能であるが、透明フィルム封筒から封入物を取り出すと、透明フィルム封筒の表面に印刷された情報と透明フィルム封筒の裏面に印刷された情報とが重ね合わされ、透明フィルム封筒の表面に印刷された情報と透明フィルム封筒の裏面に印刷された情報とによって所定の情報が表現されることになる。これにより、所定の情報を取得するために透明フィルム封筒の開封率を高めることができる。
【図面の簡単な説明】
【図１】本発明の透明フィルム封筒の第１の実施の形態を示す図であり、（ａ）は表面の構成を示す図、（ｂ）は裏面の構成を示す図である。
【図２】図１に示した透明フィルム封筒を用いて情報が提供される状態を示す図である。
【図３】本発明の透明フィルム封筒の第２の実施の形態を示す図であり、（ａ）は表面の構成を示す図、（ｂ）は裏面の構成を示す図である。
【図４】図３に示した透明フィルム封筒を用いて情報が提供される状態を示す図である。
【図５】本発明の透明フィルム封筒の第３の実施の形態を示す図であり、（ａ）は表面の構成を示す図、（ｂ）は裏面の構成を示す図である。
【図６】図５に示した透明フィルム封筒を用いて情報が提供される状態を示す図である。
【符号の説明】
１１，２１，１１１，１２１，２１１，２２１    暗号情報
１２，１１２，２１２    宛先情報
【図１】
0003868301.tif 000002
【図２】
0003868301.tif 000003
【図３】
0003868301.tif 000004
【図４】
0003868301.tif 000005
【図５】
0003868301.tif 000006
【図６】
0003868301.tif 000007